(57)【要約】【課題】乗りかごに設置された機器から乗りかご外のエレベータ機械室又は昇降路まで専用の通信線を敷設することなく、当該機器の故障を乗りかご外に設けられた監視装置で検出することができるエレベータの監視装置を提供する。【解決手段】エレベータの監視装置において、エレベータの乗りかご内に設けられ、乗りかご内の利用者が外部と通話するためのインターフォンと、インターフォンに設けられ、乗りかご内の音の入力を受け音信号として出力するマイクと、乗りかご内にインターフォンとは別体に設けられ、乗りかごに設けられた機器が故障した場合に所定の第１の故障通知周波数の音を発生して乗りかご内に送出する音発生手段と、マイクから出力される音信号に第１の故障通知周波数の音が含まれることを検出した場合に前記機器が故障したと判断する監視手段と、を備える。【選択図】図１
2012025523.tif 000002
【特許請求の範囲】
【請求項１】
エレベータの乗りかご内に設けられ、前記乗りかご内の利用者が外部と通話するためのインターフォンと、
前記インターフォンに設けられ、前記乗りかご内の音の入力を受け音信号として出力するマイクと、
前記乗りかご内に前記インターフォンとは別体に設けられ、前記乗りかごに設けられた機器が故障した場合に所定の第１の故障通知周波数の音を発生して前記乗りかご内に送出する音発生手段と、
前記マイクから出力される前記音信号に前記第１の故障通知周波数の音が含まれることを検出した場合に前記機器が故障したと判断する監視手段と、を備えたことを特徴とするエレベータの監視装置。
【請求項２】
前記音発生手段は、前記機器が故障した場合に所定の一定時間継続して前記第１の故障通知周波数の音を発生して前記乗りかご内に送出し、
前記監視手段は、前記一定時間より短い所定の故障判断時間以上継続して前記マイクからの前記音信号に前記第１の故障通知周波数の音が含まれることを検出した場合に、前記機器が故障したと判断することを特徴とする請求項１に記載のエレベータの監視装置。
【請求項３】
前記音発生手段は、前記機器が故障した場合に前記第１の故障通知周波数の音を発生して前記乗りかご内に送出するとともに、前記第１の故障通知周波数とは異なる所定の第２の故障通知周波数の音を発生して前記乗りかご内に送出し、
前記監視手段は、前記マイクからの前記音信号に前記第１の故障通知周波数の音及び前記第２の故障通知周波数の音の両方が含まれることを検出した場合に、前記機器が故障したと判断することを特徴とする請求項１又は請求項２のいずれかに記載のエレベータの監視装置。
【請求項４】
前記インターフォンに設けられ、前記乗りかご内に音を送出するスピーカと、
前記音発生手段に設けられ、前記乗りかご内の音を受信可能な音受信手段と、を備え、
前記監視手段は、前記マイクからの前記音信号に基づいて前記機器が故障したと判断した場合に、前記スピーカから前記第１の故障通知周波数とは異なる所定の故障確認周波数の音を前記かご内に送出し、
前記音発生手段は、前記第１の故障通知周波数の音を送出した後、所定の故障確認時間以内に前記音受信手段が前記故障確認周波数の音を受信しなかった場合には、再度、前記第１の故障通知周波数の音を前記乗りかご内に送出することを特徴とする請求項１又は請求項２のいずれかに記載のエレベータの監視装置。
【請求項５】
前記音発生手段は、前記第１の故障通知周波数の音を送出した後、所定の故障確認時間以内に前記音受信手段が前記故障確認周波数の音を受信しなかった場合には、前記第１の故障通知周波数とは異なる所定の第２の故障通知周波数の音を前記乗りかご内に送出し、
前記監視手段は、前記マイクからの前記音信号に前記第１の故障通知周波数の音及び前記第２の故障通知周波数の音の少なくとも一方が含まれることを検出した場合に、前記機器が故障したと判断することを特徴とする請求項４に記載のエレベータの監視装置。
【請求項６】
前記第１の故障通知周波数は、人間の可聴周波数であることを特徴とする請求項１から請求項５のいずれかに記載のエレベータの監視装置。
【請求項７】
前記監視手段は、前記エレベータが設置される建物に設けられた機械室又は昇降路に設けられるとともに、前記マイクからの前記音信号に基づいて前記機器が故障したと判断した場合に外部へと通知することを特徴とする請求項１から請求項６のいずれかに記載のエレベータの監視装置。
【発明の詳細な説明】
【技術分野】
【０００１】
この発明は、エレベータの監視装置に関するものである。
【背景技術】
【０００２】
図４は、従来におけるエレベータの監視装置の構成を示すものである。この図４において、１は、エレベータの昇降路の頂部に設けられたエレベータ機械室、２は、エレベータ機械室１内に設けられ、エレベータの運行全般を制御するエレベータ制御盤、３は、エレベータ機械室１内に設けられ、エレベータの状況を監視するためのエレベータ遠隔監視装置、５は、かご内４に設けられ、かご内４の利用者が外部と通話するためのかご内インターフォンである。
【０００３】
このかご内インターフォン５には、インターフォンマイク５ａ、インターフォンスピーカ５ｂ及び呼ボタン５ｃが設けられている。インターフォンマイク５ａは、エレベータ遠隔監視装置３の備える受話回路３ａと接続されている。インターフォンスピーカ５ｂは、エレベータ遠隔監視装置３の備える送話回路３ｂと接続されている。そして、呼ボタン５ｃは、エレベータ遠隔監視装置３の備える呼受回路３ｃに接続されている。
【０００４】
エレベータ機械室１内のエレベータ遠隔監視装置３と、エレベータが設置された建物の外部の監視センター６とは、電話網７により通信可能に接続されている。かご内インターフォン５の呼ボタン５ｃが押下されると、呼ボタン５ｃから呼ボタン押下信号が呼受回路３ｃへと出力される。この呼受回路３ｃは、エレベータ遠隔監視装置３における演算処理を行う中央処理装置３ｄに接続されている。中央処理装置３ｄはモデム回路３ｆを介して電話回線Ｉ／Ｆ３ｅと接続されている。また、受話回路３ａ及び送話回路３ｂも電話回線Ｉ／Ｆ３ｅに接続されている。そして、エレベータ遠隔監視装置３は、電話回線Ｉ／Ｆ３ｅを介して電話網７と接続されている。
【０００５】
エレベータが運転不能になってしまった際に、かご内４の利用者がかご内インターフォン５の呼ボタン５ｃを押下すると、呼ボタン５ｃから呼ボタン押下信号を出力される。呼受回路３ｃがこの呼ボタン押下信号を受信すると、中央処理装置３ｄは、かご内４に利用者がいるとの情報の信号を、モデム回路３ｆで変換した上で電話回線Ｉ／Ｆ３ｅ及び電話網７を介して監視センター６へと通知する。続いて、かご内インターフォン５と監視センター６とを通話可能に接続すべく、電話回線Ｉ／Ｆ３ｅを制御する。そして、インターフォンマイク５ａは受話回路３ａを介して、インターフォンスピーカ５ｂは送話回路３ｂを介して、それぞれが監視センター６と接続される。こうして、かご内４と監視センター６との間で通話が可能になる。
【０００６】
８は、かご内４に設置された監視カメラ、１０は、かご上９に設置されたビデオレコーダである。監視カメラ８は、かご内４の状況を撮影して映像として出力する。この監視カメラ８により撮影されたかご内４の映像は、かご上９に設置されたビデオレコーダ１０へと送られる。ビデオレコーダ１０は、監視カメラ８が撮影した映像を記録する。
【０００７】
かご上９のビデオレコーダ１０は、エレベータ機械室１内のエレベータ遠隔監視装置３と直接、通信可能に接続されている。そして、ビデオレコーダ１０は、故障すると故障信号をエレベータ遠隔監視装置３の備える故障入力回路３ｋへと送信する。そして、この故障入力回路３ｋを介して故障信号を受信した中央処理装置３ｄは、ビデオレコーダ１０故障の旨の情報の信号を、モデム回路３ｆ、電話回線Ｉ／Ｆ３ｅ及び電話網７を介して監視センター６へと送信する。この通知を受けた監視センター６では、この通知された情報に基づいて、故障したビデオレコーダ１０の修理に保守員を派遣する等の処置を実施する。
なお、機械室レスエレベータの場合には、エレベータ制御盤２及びエレベータ遠隔監視装置３はエレベータの昇降路内に配置される。
【０００８】
また、従来のかご内と外部とで通話するためのインターフォンを備えたエレベータにおいては、かご内のインターフォンのスピーカから基準となる音圧の音声を流し、かご内のインターフォンのマイクに入力された音声の音圧が基準値を超えているかどうかをみることにより、インターフォンの通話機能が正常であるか否かを点検するものが知られている（例えば、特許文献１参照）。
【先行技術文献】
【特許文献】
【０００９】
【特許文献１】特開２００７−１１９１０６号公報
【発明の概要】
【発明が解決しようとする課題】
【００１０】
このように、図４に示すように構成された従来のエレベータにおいては、乗りかご（かご上）に設置された機器であるビデオレコーダ等の故障発生を監視するために、乗りかご設置機器とエレベータ機械室内の監視装置との間に、故障信号を送信するための通信線が必要である。従って、この通信線を敷設しなければならず、装置の構成が複雑化してしまうという課題や費用が嵩んでしまうという課題がある。この課題は、特に、エレベータの設置後にかご上にビデオレコーダ等の機器を追加して設置しようとした際に、エレベータ設置時に設けた予備配線が利用できない場合に問題として顕在化しやすい。
【００１１】
また、特許文献１に示された従来におけるエレベータの監視装置は、インターフォンの通話機能については点検することができるが、乗りかごに設置されたインターフォン以外の機器については故障発生を機械室内の監視装置や外部へと通知することができない。よって、乗りかごに設置されたインターフォン以外の機器についての監視を行おうとした場合、前述した図４に示すような従来のエレベータと同様の課題がある。
【００１２】
この発明は、このような課題を解決するためになされたもので、乗りかごに設置された機器から乗りかご外のエレベータ機械室又は昇降路まで専用の通信線を敷設することなく、当該機器の故障を乗りかご外に設けられた監視装置で検出することができるエレベータの監視装置を得るものである。
【課題を解決するための手段】
【００１３】
この発明に係るエレベータの監視装置においては、エレベータの乗りかご内に設けられ、前記乗りかご内の利用者が外部と通話するためのインターフォンと、前記インターフォンに設けられ、前記乗りかご内の音の入力を受け音信号として出力するマイクと、前記乗りかご内に前記インターフォンとは別体に設けられ、前記乗りかごに設けられた機器が故障した場合に所定の第１の故障通知周波数の音を発生して前記乗りかご内に送出する音発生手段と、前記マイクから出力される前記音信号に前記第１の故障通知周波数の音が含まれることを検出した場合に前記機器が故障したと判断する監視手段と、を備えた構成とする。
【発明の効果】
【００１４】
この発明に係るエレベータの監視装置においては、乗りかごに設置された機器から乗りかご外のエレベータ機械室又は昇降路まで専用の通信線を敷設することなく、当該機器の故障を乗りかご外に設けられた監視装置で検出することができるという効果を奏する。
【図面の簡単な説明】
【００１５】
【図１】この発明の実施の形態１に係るエレベータの監視装置の全体構成を示すブロック図である。
【図２】この発明の実施の形態２に係るエレベータの監視装置の全体構成を示すブロック図である。
【図３】この発明の実施の形態３に係るエレベータの監視装置の全体構成を示すブロック図である。
【図４】従来におけるエレベータの監視装置の全体構成を示すブロック図である。
【発明を実施するための形態】
【００１６】
この発明を添付の図面に従い説明する。各図を通じて同符号は同一部分又は相当部分を示しており、その重複説明は適宜に簡略化又は省略する。
【００１７】
実施の形態１．
図１は、この発明の実施の形態１に係るものである。この図１は、エレベータの監視装置の全体構成を示している。この図１において、１は、エレベータの昇降路の頂部に設けられたエレベータ機械室である。エレベータの昇降路内には、エレベータの利用者等を運搬するための乗りかごが昇降自在に配設されている。エレベータ機械室１内には、この乗りかごの運転を含むエレベータの運行全般を制御するエレベータ制御盤２が設置されている。
【００１８】
また、エレベータ機械室１内には、エレベータの状況を監視するための監視手段を構成するエレベータ遠隔監視装置３が設けられている。乗りかご内のかご内４には、かご内４の利用者が外部と通話するためのかご内インターフォン５が設置されている。このかご内４のかご内インターフォン５と、エレベータ機械室１内のエレベータ遠隔監視装置３とは通信可能に電気的に接続されている。そして、エレベータ機械室１内のエレベータ遠隔監視装置３と、エレベータが設置された建物の外部の監視センター６とは、電話網７により通信可能に接続されている。なお、ここでは、エレベータ遠隔監視装置３と監視センター６とを電話回線である電話網７で接続したが、電話回線に限られずインターネット等の通信回線網を用いるようにしてもよい。
【００１９】
かご内インターフォン５には、インターフォンマイク５ａ、インターフォンスピーカ５ｂ及び呼ボタン５ｃが設けられている。インターフォンマイク５ａは、かご内４の音の入力を受け音信号として出力するものである。インターフォンマイク５ａから出力される音信号は、エレベータ遠隔監視装置３の備える受話回路３ａへと入力される。インターフォンスピーカ５ｂは、かご内４に音を送出するものである。このインターフォンスピーカ５ｂが送出する音は、エレベータ遠隔監視装置３の備える送話回路３ｂから送信される信号に基づいている。
【００２０】
呼ボタン５ｃは、エレベータ遠隔監視装置３の備える呼受回路３ｃに接続されている。かご内インターフォン５の呼ボタン５ｃが押下されると、呼ボタン５ｃから呼ボタン押下信号が呼受回路３ｃへと出力される。この呼受回路３ｃは、エレベータ遠隔監視装置３における演算処理を行う中央処理装置３ｄに接続されている。中央処理装置３ｄはモデム回路３ｆを介して電話回線Ｉ／Ｆ３ｅと接続されている。また、受話回路３ａ及び送話回路３ｂも電話回線Ｉ／Ｆ３ｅに接続されている。そして、エレベータ遠隔監視装置３は、電話回線Ｉ／Ｆ３ｅを介して電話網７と接続されている。
【００２１】
エレベータが運転不能になってしまった際に、かご内４の利用者がかご内インターフォン５の呼ボタン５ｃを押下すると、呼ボタン５ｃから呼ボタン押下信号を出力される。呼受回路３ｃがこの呼ボタン押下信号を受信すると、中央処理装置３ｄは、かご内４に利用者がいるとの情報の信号を、モデム回路３ｆで変換した上で電話回線Ｉ／Ｆ３ｅ及び電話網７を介して監視センター６へと通知する。続いて、かご内インターフォン５と監視センター６とを通話可能に接続すべく、電話回線Ｉ／Ｆ３ｅを制御する。そして、インターフォンマイク５ａは受話回路３ａを介して、インターフォンスピーカ５ｂは送話回路３ｂを介して、それぞれが監視センター６と接続される。こうして、かご内４と監視センター６との間で通話が可能になる。
【００２２】
乗りかごには、エレベータの運行や安全確保等に必要な様々な機器が設置されている。ここでは、このような乗りかごに設けられた機器として、かご内４に設置された監視カメラ８、及び、乗りかごの天蓋上面のかご上９に設置されたビデオレコーダ１０を例に挙げて説明する。すなわち、かご内４にはかご内４の状況を撮影する監視カメラ８が設置されている。そして、この監視カメラ８により撮影されたかご内４の映像は、かご上９に設置されたビデオレコーダ１０へと送られる。ビデオレコーダ１０は、監視カメラ８が撮影した映像を記録する。
【００２３】
かご内４には、可聴音発生装置１１が設置されている。この可聴音発生装置１１は、第１の発振回路１１ａ及び可聴音発生装置スピーカ１１ｂを有している。ビデオレコーダ１０は、故障すると一定時間（例えば１０秒間）継続して故障信号を出力する。このビデオレコーダ１０から出力された故障信号は、可聴音発生装置１１の第１の発振回路１１ａへと入力される。故障信号を受けた第１の発振回路１１ａは、所定の第１の故障通知周波数ｆ１の音信号を発生する。そして、可聴音発生装置スピーカ１１ｂは、第１の発振回路１１ａが発生した音信号に基づいて、かご内４へと第１の故障通知周波数ｆ１の音を送出する。なお、この第１の故障通知周波数ｆ１は、人間の可聴周波数に設定されている。
【００２４】
かご内４の音は、かご内インターフォン５のインターフォンマイク５ａにより拾われて、エレベータ遠隔監視装置３へと常に入力されている状態にある。エレベータ遠隔監視装置３の受話回路３ａには、第１のフィルタ回路３ｇが接続されている。この第１のフィルタ回路３ｇは、インターフォンマイク５ａから受話回路３ａへと入力される音信号のうち、第１の故障通知周波数ｆ１の音信号を判別する。そして、第１のフィルタ回路３ｇは、この判別した第１の故障通知周波数ｆ１の音信号の音量が一定音量以上であった場合に、この第１の故障通知周波数ｆ１の音信号を中央処理装置３ｄへと出力する。
【００２５】
中央処理装置３ｄは、第１のフィルタ回路３ｇから第１の故障通知周波数ｆ１の音信号が、所定の故障判断時間以上継続して入力されると、乗りかごに設けられた機器（ここではビデオレコーダ１０）の故障であると判断する。なお、この所定の故障判断時間は、ビデオレコーダ１０から故障信号が継続して出力される前記一定時間（ここでは１０秒間）より短い時間に設定される。ここでは、この故障判断時間は、例えば５秒間とする。
【００２６】
このようにして、乗りかご設置機器であるビデオレコーダ１０の故障発生を判断したエレベータ遠隔監視装置３の中央処理装置３ｄは、ビデオレコーダ１０故障の旨の情報の信号を出力する。このビデオレコーダ１０故障の旨の情報の信号は、モデム回路３ｆで変換された上で電話回線Ｉ／Ｆ３ｅ及び電話網７を介して監視センター６へと送信される。
【００２７】
以上のように構成されたエレベータの監視装置において、ビデオレコーダ１０が故障すると、このビデオレコーダ１０は前記一定時間継続して故障信号を出力する。この故障信号を受けた可聴音発生装置１１は、第１の発振回路１１ａにおいて第１の故障通知周波数ｆ１の音信号を発生する。可聴音発生装置スピーカ１１ｂから、かご内４へと第１の故障通知周波数ｆ１の音が前記一定時間継続して送出される。
【００２８】
このかご内４の第１の故障通知周波数ｆ１の音は、かご内インターフォン５が備えるインターフォンマイク５ａに入力される。すると、インターフォンマイク５ａに入力された音は音信号として、エレベータ遠隔監視装置３の受話回路３ａに入力される。そして、第１のフィルタ回路３ｇにおいて、この受話回路３ａに入力された音信号のうち、第１の故障通知周波数ｆ１の成分が抽出される。
【００２９】
ビデオレコーダ１０の故障時に発せられる第１の故障通知周波数ｆ１の音の音量は十分大きく、この第１のフィルタ回路３ｇにより抽出された第１の故障通知周波数ｆ１の音量の大きさは、前記一定音量以上となる。従って、第１のフィルタ回路３ｇから、第１の故障通知周波数ｆ１の音信号が、前記一定時間継続して中央処理装置３ｄへと入力される。すると、中央処理装置３ｄにおいて、第１のフィルタ回路３ｇからの第１の故障通知周波数ｆ１の音信号が、前記故障判断時間以上継続して入力されることとなり、中央処理装置３ｄは、ビデオレコーダ１０の故障が発生したと判断する。
【００３０】
ビデオレコーダ１０の故障が発生したと判断した中央処理装置３ｄは、ビデオレコーダ１０故障の旨の情報の信号を、モデム回路３ｆ、電話回線Ｉ／Ｆ３ｅ及び電話網７を介して監視センター６へと送信する。この通知を受けた監視センター６では、この通知された情報に基づいて、故障したビデオレコーダ１０の修理に保守員を派遣する等の処置を実施する。
【００３１】
以上のように構成されたエレベータの監視装置においては、乗りかごに設置された機器から乗りかご外のエレベータ機械室又は昇降路まで専用の通信線を敷設することなく、当該機器の故障を乗りかご外に設けられた監視装置で検出することができる。また、乗りかご設置機器に故障が発生した場合に、所定の一定時間継続して故障通知周波数の音をかご内に送出し、エレベータ遠隔監視装置において、この一定時間より短い所定の故障判断時間以上継続して故障通知周波数の音が含まれることを検出した場合に、乗りかご設置機器が故障したと判断することにより、乗りかご内のノイズ等に一時的に故障通知周波数の音が含まれる場合であっても、乗りかご設置機器の故障に関する判断の誤りを防止することが可能である。
【００３２】
なお、エレベータ制御盤２は、エレベータ遠隔監視装置３の備えるデータ送受信回路３ｈを介して、エレベータ遠隔監視装置３の中央処理装置３ｄと接続されている。そして、このデータ送受信回路３ｈを介して、各種のデータ通信が可能である。
また、第１の故障通知周波数ｆ１は、人間の可聴周波数としたが、かご内インターフォン５のインターフォンマイク５ａに入力可能である周波数帯域内であれば、人間の可聴周波数でなくともよい。そして、故障監視対象となる乗りかご設置機器が複数ある場合には、乗りかご設置機器毎に故障通知周波数を異なるものとするようにしてもよい。
【００３３】
さらにまた、ここではエレベータの昇降路頂部にエレベータ機械室１が設けられている場合について説明した。しかし、特に近年増加しているエレベータ機械室１が設けられないタイプのいわゆる機械室レスエレベータにおいても、同様にして、本願の実施の形態１に係るエレベータの監視装置を構成することができる。この機械室レスエレベータの場合には、エレベータ制御盤２及びエレベータ遠隔監視装置３をエレベータの昇降路内に配置するようにすればよい。
【００３４】
実施の形態２．
図２は、この発明の実施の形態２に係るものである。この図２は、エレベータの監視装置の全体構成を示している。
ここで説明する実施の形態２は、前述した実施の形態１の構成において、乗りかご設置機器が故障した場合に、可聴音発生装置が、第１の故障通知周波数の音とともに、この第１の故障通知周波数とは異なる第２の故障通知周波数の音もかご内に送出するようにしたものである。そして、エレベータ遠隔監視装置は、かご内インターフォンのマイクに入力される音に、第１の故障通知周波数と第２の故障通知周波数の両方の音が含まれている場合に、乗りかご設置機器に故障が発生したと判断する。
【００３５】
すなわち、かご内４に設けられた可聴音発生装置１１は、第１の発振回路１１ａ及び可聴音発生装置スピーカ１１ｂに加えて、さらに、第２の発振回路１１ｃを有している。ビデオレコーダ１０は、故障すると一定時間（例えば１０秒間）継続して故障信号を出力する。このビデオレコーダ１０から出力された故障信号は、可聴音発生装置１１の第１の発振回路１１ａ及び第２の発振回路１１ｃへと入力される。故障信号を受けた第１の発振回路１１ａは、所定の第１の故障通知周波数ｆ１の音信号を発生する。そして、故障信号を受けた第２の発振回路１１ｃは、第１の故障通知周波数ｆ１とは異なる所定の第２の故障通知周波数ｆ２の音信号を発生する。
【００３６】
可聴音発生装置スピーカ１１ｂは、第１の発振回路１１ａが発生した音信号及び第２の発振回路１１ｃが発生した音信号の両方に基づいて、かご内４へと第１の故障通知周波数ｆ１の音及び第２の故障通知周波数ｆ２の音の両方を同時に送出する。なお、第２の故障通知周波数ｆ２も、第１の故障通知周波数ｆ１と同じく、人間の可聴周波数に設定されている。
【００３７】
エレベータ遠隔監視装置３の受話回路３ａには、第１のフィルタ回路３ｇに加えて第２のフィルタ回路３ｉが接続されている。この第２のフィルタ回路３ｉは、インターフォンマイク５ａから受話回路３ａへと入力される音信号のうち、第２の故障通知周波数ｆ２の音信号を判別する。そして、第２のフィルタ回路３ｉは、この判別した第２の故障通知周波数ｆ２の音信号の音量が一定音量以上であった場合に、この第２の故障通知周波数ｆ２の音信号を中央処理装置３ｄへと出力する。
【００３８】
中央処理装置３ｄは、第１のフィルタ回路３ｇから第１の故障通知周波数ｆ１の音信号が所定の故障判断時間以上継続して入力され、かつ、同時に、第２のフィルタ回路３ｉから第２の故障通知周波数ｆ２の音信号が前記故障判断時間以上継続して入力された場合に、乗りかごに設けられた機器（ここではビデオレコーダ１０）の故障であると判断する。なお、この所定の故障判断時間は、前述した実施の形態１と同様、前記一定時間より短い時間（例えば５秒間）に設定される。
なお、他の構成については実施の形態１と同様であって、その詳細説明は省略する。
【００３９】
以上のように構成されたエレベータの監視装置において、ビデオレコーダ１０が故障すると、このビデオレコーダ１０は前記一定時間継続して故障信号を出力する。この故障信号を受けた可聴音発生装置１１は、第１の発振回路１１ａにおいて第１の故障通知周波数ｆ１の音信号を発生する。また、同時に、第２の発振回路１１ｃにおいて第２の故障通知周波数ｆ２の音信号を発生する。そして、可聴音発生装置スピーカ１１ｂから、かご内４へと第１の故障通知周波数ｆ１の音及び第２の故障通知周波数ｆ２の音が同時に前記一定時間継続して送出される。
【００４０】
このかご内４の第１の故障通知周波数ｆ１の音及び第２の故障通知周波数ｆ２の音は、かご内インターフォン５が備えるインターフォンマイク５ａに入力される。すると、インターフォンマイク５ａに入力された音は音信号として、エレベータ遠隔監視装置３の受話回路３ａに入力される。そして、第１のフィルタ回路３ｇにおいて、この受話回路３ａに入力された音信号のうち、第１の故障通知周波数ｆ１の成分が抽出される。また、第２のフィルタ回路３ｉにおいて、この受話回路３ａに入力された音信号のうち、第２の故障通知周波数ｆ２の成分が抽出される。
【００４１】
そうすると、第１のフィルタ回路３ｇから、第１の故障通知周波数ｆ１の音信号が、前記一定時間継続して中央処理装置３ｄへと入力される。また、同時に、第２のフィルタ回路３ｉから、第２の故障通知周波数ｆ２の音信号が、前記一定時間継続して中央処理装置３ｄへと入力される。すると、中央処理装置３ｄに対して、第１の故障通知周波数ｆ１の音信号及び第１の故障通知周波数ｆ１の音信号の両方が、前記故障判断時間以上継続して入力されることとなり、中央処理装置３ｄは、ビデオレコーダ１０の故障が発生したと判断する。
【００４２】
ビデオレコーダ１０の故障が発生したと判断した中央処理装置３ｄは、ビデオレコーダ１０故障の旨の情報の信号を、モデム回路３ｆ、電話回線Ｉ／Ｆ３ｅ及び電話網７を介して監視センター６へと送信する。この通知を受けた監視センター６では、この通知された情報に基づいて、故障したビデオレコーダ１０の修理に保守員を派遣する等の処置を実施する。
【００４３】
以上のように構成されたエレベータの監視装置においては、複数の故障通知周波数を用いて乗りかご設置機器の故障を判断しているため、乗りかご内のノイズ等に故障通知周波数の一部が含まれる場合であっても、乗りかご設置機器の故障に関する判断の誤りを防止することが可能である。
【００４４】
なお、ここでは、乗りかご設置機器であるビデオレコーダ１０が故障した時に、第１の故障通知周波数ｆ１の音と第２の故障通知周波数ｆ２の音の両方を同時にかご内４に送出した。そして、エレベータ遠隔監視装置３は、インターフォンマイク５ａから入力されたかご内４の音に、第１の故障通知周波数ｆ１の音と第２の故障通知周波数ｆ２の音の両方が同時に含まれていた場合に、ビデオレコーダ１０が故障したと判断した。
【００４５】
これに対し、第１の故障通知周波数ｆ１の音と第２の故障通知周波数ｆ２の音の両方を同時にかご内４に送出せずに、可聴音発生装置１１は、第１の故障通知周波数ｆ１の音を前記一定時間継続して送出した後に、第２の故障通知周波数ｆ２の音を前記一定時間継続して送出するようにしてもよい。この場合においては、エレベータ遠隔監視装置３は、インターフォンマイク５ａから入力されたかご内４の音に、第１の故障通知周波数ｆ１の音が前記故障判断時間継続して含まれており、その後さらに第２の故障通知周波数ｆ２の音が前記故障判断時間継続して含まれていた場合に、ビデオレコーダ１０が故障したと判断するようにすればよい。
【００４６】
また、可聴音発生装置１１は、始めに第１の故障通知周波数ｆ１の音を前記一定時間継続して送出した後に、第１の故障通知周波数ｆ１の音に加えて第２の故障通知周波数ｆ２の音も同時に前記一定時間継続して送出するようにしてもよい。
さらにまた、ここでは、故障通知周波数として２つの異なる周波数を用いたが、ここで用いる周波数の数は２つに限られず３以上の複数の周波数を用いるようにしてもよい。
【００４７】
実施の形態３．
図３は、この発明の実施の形態３に係るものである。この図３は、エレベータの監視装置の全体構成を示している。
ここで説明する実施の形態３は、前述した実施の形態１又は実施の形態２の構成において、エレベータ遠隔監視装置は、インターフォンマイクに入力された音信号に基づいて乗りかご設置機器の故障を検出した場合には、故障通知周波数とは異なる周波数である故障確認周波数の音をインターフォンスピーカからかご内に送出するようにしたものである。そして、可聴音発生装置は、故障通知周波数の音をかご内に送出した後、一定時間以内にかご内の音に故障確認周波数が含まれていることが検出できなかった場合には、故障通知に失敗した可能性があるとして、再度、故障通知周波数の音をかご内に送出する。
【００４８】
ここでは、実施の形態１の構成を元にした実施の形態３の構成について説明する。すなわち、エレベータ遠隔監視装置３には、第１の故障通知周波数とは異なる所定の故障確認周波数ｆ３の音信号を発生する第３の発振回路３ｊが備えられている。中央処理装置３ｄは、インターフォンマイク５ａに入力された音信号に基づいて、ビデオレコーダ１０の故障発生を検出すると、この第３の発振回路３ｊに故障確認周波数ｆ３の音信号を発生するよう指令する。第３の発振回路３ｊにより発生された故障確認周波数ｆ３の音信号は、送話回路３ｂへと入力される。そして、かご内インターフォン５のインターフォンスピーカ５ｂは、送話回路３ｂからの信号に基づいて、故障確認周波数ｆ３の音をかご内４へと送出する。
【００４９】
可聴音発生装置１１は、かご内４の音を受信する音受信手段を構成する可聴音発生装置マイク１１ｄが設けられている。この可聴音発生装置マイク１１ｄは、かご内４の音の入力を受け音信号として出力するものである。そして、可聴音発生装置１１には、音信号から故障確認周波数ｆ３の音信号を抽出する第３のフィルタ回路１１ｅが設けられている。この第３のフィルタ回路１１ｅは、可聴音発生装置マイク１１ｄから入力される音信号のうち、故障確認周波数ｆ３の音信号を判別する。そして、第３のフィルタ回路１１ｅは、この判別した故障確認周波数ｆ３の音信号の音量が一定音量以上であった場合に、この故障確認周波数ｆ３の音信号をビデオレコーダ１０へと出力する。
【００５０】
ビデオレコーダ１０は、故障信号を出力した後、所定の故障確認時間（例えば２０秒間）以内に、可聴音発生装置１１の第３のフィルタ回路１１ｅから故障確認周波数ｆ３の音信号を受け取らなかった場合には、再度、故障信号を可聴音発生装置１１へと出力する。
なお、他の構成については実施の形態１と同様であって、その詳細説明は省略する。
【００５１】
以上のように構成されたエレベータの監視装置において、ビデオレコーダ１０が故障すると、このビデオレコーダ１０は前記一定時間継続して故障信号を出力する。この故障信号を受けた可聴音発生装置１１は、第１の発振回路１１ａにおいて第１の故障通知周波数ｆ１の音信号を発生する。そして、可聴音発生装置スピーカ１１ｂから、かご内４へと第１の故障通知周波数ｆ１の音が前記一定時間継続して送出される。
【００５２】
このかご内４の第１の故障通知周波数ｆ１の音は、かご内インターフォン５が備えるインターフォンマイク５ａに入力される。すると、インターフォンマイク５ａに入力された音は音信号として、エレベータ遠隔監視装置３の受話回路３ａに入力される。そして、第１のフィルタ回路３ｇにおいて、この受話回路３ａに入力された音信号のうち、第１の故障通知周波数ｆ１の成分が抽出される。
【００５３】
そうすると、第１のフィルタ回路３ｇから、第１の故障通知周波数ｆ１の音信号が、前記一定時間継続して中央処理装置３ｄへと入力される。そして、中央処理装置３ｄに対して、第１の故障通知周波数ｆ１の音信号が、前記故障判断時間以上継続して入力されることとなり、中央処理装置３ｄは、ビデオレコーダ１０の故障が発生したと判断する。
【００５４】
ビデオレコーダ１０の故障が発生したと判断した中央処理装置３ｄは、ビデオレコーダ１０故障の旨の情報の信号を、モデム回路３ｆ、電話回線Ｉ／Ｆ３ｅ及び電話網７を介して監視センター６へと送信する。この通知を受けた監視センター６では、この通知された情報に基づいて、故障したビデオレコーダ１０の修理に保守員を派遣する等の処置を実施する。
【００５５】
また、ビデオレコーダ１０の故障が発生したと判断した中央処理装置３ｄは、第３の発振回路３ｊに故障確認周波数ｆ３の音信号を発生するよう指令する。そして、第３の発振回路３ｊにより故障確認周波数ｆ３の音信号が発生され、送話回路３ｂへと入力される。この音信号に基づいて、かご内インターフォン５のインターフォンスピーカ５ｂは、故障確認周波数ｆ３の音をかご内４へと送出する。
【００５６】
このかご内４の故障確認周波数ｆ３の音は、可聴音発生装置１１が備える可聴音発生装置マイク１１ｄに入力される。そして、可聴音発生装置１１の備える第３のフィルタ回路１１ｅにおいて、この可聴音発生装置マイク１１ｄから出力された音信号のうち、故障確認周波数ｆ３の成分が抽出される。
【００５７】
この抽出された故障確認周波数ｆ３の成分の音信号は、ビデオレコーダ１０へと入力される。ビデオレコーダ１０は、故障信号を出力してから前記故障確認時間以内に、この故障確認周波数ｆ３の音信号が入力されたか否かにより、出力した故障信号がエレベータ遠隔監視装置３において正常に受信されたか否かを確認することができる。そして、故障信号を出力してから前記故障確認時間以内に、故障確認周波数ｆ３の音信号がビデオレコーダ１０に入力されなかった場合には、ビデオレコーダ１０は、出力した故障信号がエレベータ遠隔監視装置３に正常に受信されていないと判断する。
【００５８】
出力した故障信号がエレベータ遠隔監視装置３に正常に受信されていないと判断したビデオレコーダ１０は、再度、故障信号を出力する。そして、この再度の故障信号を受けた可聴音発生装置１１は、再度、第１の故障通知周波数ｆ１の音を可聴音発生装置スピーカ１１ｂからかご内４へと送出する。
【００５９】
なお、実施の形態２のように、可聴音発生装置１１が複数の故障通知周波数の音信号を発生する構成である場合には、最初にかご内４に送出する音の周波数と、前記故障確認時間以内に故障確認周波数ｆ３の音信号が返ってこない場合に再度かご内４に送出する音の周波数とを、異なる周波数としてもよい。この場合、可聴音発生装置１１は、例えば、最初に第１の故障通知周波数ｆ１の音を送出し、再送出時には第２の故障通知周波数ｆ２の音を送出するようにしもよいし、最初に第１の故障通知周波数ｆ１の音を送出し、再送出時には第１の故障通知周波数ｆ１の音に加えて第２の故障通知周波数ｆ２の音も同時に送出するようにしてもよい。
【００６０】
また、ここでは、故障信号を出力してから前記故障確認時間以内に、故障確認周波数ｆ３の音信号がビデオレコーダ１０に入力されなかった場合に、ビデオレコーダ１０が再度故障信号を出力し、この再度出力された故障信号に基づいて、可聴音発生装置１１が故障通知周波数の音をかご内４に再度送出した。これに対して、ビデオレコーダ１０から故障信号が再度出力されるのを待たずとも、可聴音発生装置１１において故障確認周波数ｆ３の音信号が検出されなかった場合に可聴音発生装置１１が故障通知周波数の音をかご内４に再度送出するようにしてもよい。
【００６１】
以上のように構成されたエレベータの監視装置においては、乗りかご内のノイズ等の要因により、故障通知周波数の音を用いた乗りかご設置機器の故障発生通知に失敗した場合であっても、故障通知周波数の音を用いた通知をリトライするため、より確実に乗りかご設置機器の故障発生を通知することが可能である。また、リトライ時に故障通知に用いる周波数を変えることにより、乗りかご内のノイズ等の要因により最初に送出した故障通知周波数では故障発生通知が困難な場合であっても、最終的に故障発生通知を成功させることができる。
【符号の説明】
【００６２】
１    エレベータ機械室
２    エレベータ制御盤
３    エレベータ遠隔監視装置
３ａ  受話回路
３ｂ  送話回路
３ｃ  呼受回路
３ｄ  中央処理装置
３ｅ  電話回線Ｉ／Ｆ
３ｆ  モデム回路
３ｇ  第１のフィルタ回路
３ｈ  データ送受信回路
３ｉ  第２のフィルタ回路
３ｊ  第３の発振回路
３ｋ  故障入力回路
４    かご内
５    かご内インターフォン
５ａ  インターフォンマイク
５ｂ  インターフォンスピーカ
５ｃ  呼ボタン
６    監視センター
７    電話網
８    監視カメラ
９    かご上
１０    ビデオレコーダ
１１    可聴音発生装置
１１ａ  第１の発振回路
１１ｂ  可聴音発生装置スピーカ
１１ｃ  第２の発振回路
１１ｄ  可聴音発生装置マイク
１１ｅ  第３のフィルタ回路
【図１】
2012025523.tif 000003
【図２】
2012025523.tif 000004
【図３】
2012025523.tif 000005
【図４】
2012025523.tif 000006